(57)【特許請求の範囲】
【請求項１】
半円筒ドラムの内面に感材フィルムを供給する供給ローラ機構と、半円筒ドラムの内面に保持された感材フィルムに光ビームを走査することにより感材フィルムに画像を記録する光学系と、記録済みの感材フィルムを半円筒ドラムの内面から排出するための排出ローラ機構と、前記ローラ機構を駆動するモータと、前記モータを制御する制御部とを備えた円筒内面走査型記録装置において、
前記制御部は、感材フィルムへの記録が終わると、供給ローラを逆転させてフィルムを一定量供給ローラ側に一旦巻き戻することにより半円筒ドラムの内面へのフィルムの貼り付きを解除した後、供給ローラを正転させてフィルムを排出ローラまで送って排出ローラに噛み込ませ、更に供給ローラおよび排出ローラを正転させることによりフィルムを半円筒ドラムの内面から送り出すべくプログラムされていることを特徴とする円筒内面走査型記録装置。
【請求項２】
円筒内面走査型記録装置を用いて感材フィルムに画像を記録するにあたり、
半円筒ドラムの内面に感材フィルムを供給し、
半円筒ドラムの内面に保持された感材フィルムに光ビームを走査することにより感材フィルムに画像を記録し、
記録済みのフィルムを一定量巻き戻すことにより半円筒ドラムの内面へのフィルムの貼り付きを解除し、
次いで、フィルムを前進させることにより半円筒ドラムの内面からフィルムを送り出すことを特徴とする画像記録方法。
【発明の詳細な説明】
【０００１】
【発明の属する技術分野】
本発明は、円筒内面走査型記録装置（版下プロッタ）および斯る装置を用いた画像記録方法の改良に関する。
【０００２】
【従来の技術】
輪転印刷機などの版下を作成するために円筒内面走査型記録装置が使用されている（例えば、特開平７−９２４１３号および特開平１１−１６７０７９号参照）。
円筒内面走査型記録装置においては、感材フィルムは供給ローラによって半円筒ドラムの内面に供給され、真空吸着機構などにより半円筒ドラムの内面に吸着保持される。このように半円筒ドラムの内面に吸着保持された感材フィルムに光学系を用いてレーザビームを走査することにより画像の記録が行われる。
画像の記録が終わると、真空吸着は解除され、記録済みの感材フィルムは排出ローラによって半円筒ドラムから排出され、次の処理工程に送られる。
【０００３】
【発明が解決しようとする課題】
感材フィルムには排出方向側（進み側）のフィルム端部まで画像を記録する必要があるので、画像記録時には、排出方向側のフィルム端部は排出ローラに噛み込ませてなく、排出ローラの直ぐ手前に位置決めしてある。
このため、記録済みの感材フィルムを排紙するに際しては、感材フィルムの排出方向側端部が排出ローラに噛み込まれるに至るまでの間は、排出方向側とは逆方向に位置する供給ローラにより感材フィルムを排出ローラに向かって押し出すような動作をさせなければならない。
しかしながら、静電気的吸着などにより感材フィルムが半円筒ドラムの内面になお貼り付いていることがあり、感材フィルムを正常に送り出すことができないことがあった。
【０００４】
そこで、本発明の目的は、円筒内面走査型記録装置において、排出時に記録済みの感材フィルムが半円筒ドラムの内面に貼り付くのを防止することにある。
【０００５】
【課題を解決するための手段】
本発明は、円筒内面走査型記録装置において、感材フィルムの搬送制御部を改良するもので、本発明によれば、感材フィルムの搬送制御部は、感材フィルムへの記録が終わると、供給ローラを逆転させてフィルムを一定量供給ローラ側に一旦巻き戻することにより半円筒ドラムの内面へのフィルムの貼り付きを解除した後、供給ローラを正転させてフィルムを排出ローラまで送って排出ローラに噛み込ませ、更に供給ローラおよび排出ローラを正転させることによりフィルムを半円筒ドラムの内面から送り出すようにプログラムしたことを特徴とするものである。
【０００６】
他の観点においては、本発明は、円筒内面走査型記録装置を用いて感材フィルムに画像を記録する方法を提供するもので、この方法は、半円筒ドラムの内面に感材フィルムを供給し、半円筒ドラムの内面に保持された感材フィルムに光ビームを走査することにより感材フィルムに画像を記録し、記録済みのフィルムを一定量巻き戻すことにより半円筒ドラムの内面へのフィルムの貼り付きを解除し、次いで、フィルムを前進させることにより半円筒ドラムの内面からフィルムを送り出すことを特徴とするものである。
【０００７】
【発明の実施の形態】
図１を参照するに、円筒内面走査型記録装置１０は半円筒ドラム１２を備え、このドラム１２は半円筒形の内面１４を有する。半円筒ドラム１２は従来型の真空吸着機構（図示せず）を備え、感材フィルム１６を半円筒形内面１４に吸着するようになっている。
【０００８】
円筒内面走査型記録装置１０は、更に、感材フィルム１６のロールを収容するマガジン１８と、感材フィルムをドラム１２に供給する供給ローラ機構２０と、感材フィルムをドラム１２から排出する排出ローラ機構２２と、ドラム１２の半円筒形内面１４に吸着された感材フィルム１６にレーザビームのような光ビームを走査するための光学系２４と、排出ローラ機構２２の後段に配置されたカッター４４を有する。これらの構成要素はいづれも従来型のものであり得る。
【０００９】
供給ローラ機構２０および排出ローラ機構２２は、夫々、駆動ローラ２６、２８とカウンタローラ３０、３２とで構成することができる。
駆動ローラ２６、２８はベルトその他の伝動手段により共通のステッピングモータ３４によって回転駆動される。
【００１０】
円筒内面走査型記録装置１０は、ステッピングモータ３４を制御するための搬送制御部３６を備えている。供給ローラ機構２０および排出ローラ機構２２と、それらを駆動するステッピングモータ３４と、後者を制御する搬送制御部３６とにより、円筒内面走査型記録装置１０のフィルム搬送系４６が構成される。
【００１１】
搬送制御部３６は、プログラム可能な中央処理装置（ＣＰＵ）３８と、出力ポート４０と、カウンタ４２を有する。
搬送制御部３６の中央処理装置３８は、図２のフローチャートに示したフィルム搬送プログラムを実行するべくプログラムされている。
【００１２】
次に、この円筒内面走査型記録装置１０の動作を説明するに、光学系２４は従来のものと同一の構成を有し同様に動作することができるので、詳細な説明は省略する。
専らフィルム搬送系４６の動作を説明するに、中央処理装置３８からの指令によりポート４０はステッピングモータ３４への指令信号を発生し、カウンタ４２はステッピングモータ３４への駆動パルス信号を生成する。
中央処理装置３８は、ポート４０を介してステッピングモータ３４の回転方向の切り替えと駆動のＯＮ／ＯＦＦを行い、カウンタ４２を介してステッピングモータ３４の回転量と回転速度を制御する。
ステッピングモータ３４の回転はベルトその他の伝動手段を介して供給ローラ機構２０の駆動ローラ２６および排出ローラ機構２２の駆動ローラ２８に伝えられ、それらを回転させる。
【００１３】
画像の記録に際しては、感材フィルム１６は供給ローラ機構２０によりマガジン１８から引き出され、ドラム１２の半円筒形内面１４に沿って送り出される。感材フィルム１６は、その進み側端部が排出ローラ２８に達する直前で停止される。この位置で真空吸着機構を作動させることにより感材フィルム１６はドラムの半円筒形内面１４に吸着される。
【００１４】
次に、ドラムの半円筒形内面１４に保持された感材フィルム１６に対して光学系２４によりレーザビームを走査することにより従来通りに画像の記録が行われ、感材フィルム１６に潜像が形成される。
【００１５】
画像の記録が終わると、真空吸着を解除し、感材フィルム１６を半円筒ドラム１２から送り出すのであるが、この時、感材フィルム１６は排出ローラ機構２２の駆動ローラ２８とカウンタローラ３２との間に噛み込まれていないので、感材フィルム１６がドラムの半円筒形内面１４に静電気的吸着などにより貼り付いていると、感材フィルム１６が排出ローラ機構２２まで送られないことが起こり得る。
そこで、本発明に従い、搬送制御部３６は、フィルム１６に対する記録が終わると、供給ローラ機構２０によりフィルム１６を一定量供給ローラ側に巻き戻すことにより、ドラムの半円筒形内面１４に対するフィルム１６の貼り付きを解除する。
【００１６】
このため、画像の記録が終わり真空吸着が解除されると、図２のフローチャートに示したように、中央処理装置３８は、カウンタ４２に感材フィルム１６の巻き戻し量と巻き戻し速度を設定し、ポート４０に供給ローラ機構２０の駆動ローラ２６の逆転を設定すると共に、駆動ローラ２６の駆動を指令する。
【００１７】
駆動ローラ２６の逆転により、感材フィルム１６は巻き戻され、フィルム１６は供給ローラ機構２０の方に引っ張られるので、フィルム１６がドラムの半円筒形内面１４に貼り付いていたとしてもフィルム１６に作用する張力によりフィルム１６は半円筒形内面１４から引き剥がされる。
【００１８】
所定量の巻き戻しが完了すると、中央処理装置３８は、ポート４０に駆動ローラ２６の停止を指示し、カウンタ４２に感材フィルム１６の送り（前進）量と送り速度を設定し、ポート４０に駆動ローラ２６の正転を設定すると共に、駆動ローラ２６の駆動を指令する。
感材フィルム１６は或る程度の腰の強さを有するので、半円筒形内面１４から剥離されたフィルム１６は供給ローラ機構２０の駆動ローラ２６の正転により前方に押し出され、排出ローラ機構２２の駆動ローラ２８とカウンタローラ３２との間に噛み込まれる。
【００１９】
以後は、供給ローラ機構２０と排出ローラ機構２２の通常の正転動作によりフィルム１６はドラム１２の半円筒形内面１４から送り出され、カッタ４４により切断されて装置外に排出される。
切断後は、フィルム１６はその進み側端部が排出ローラ２８から離脱するまで巻き戻され、次の露光に備える。
【００２０】
【発明の効果】
以上に述べたように、本発明によれば、記録済みの感材フィルムの排出時に、記録済みフィルムがドラムの半円筒形内面に貼り付くことがないので、確実かつ円滑に記録済みフィルムを送り出すことができる。
また、本発明による改良は、搬送制御部のプログラムを改変することにより極めて容易に実現することができる。
【図面の簡単な説明】
【図１】本発明の円筒内面走査型記録装置の模式的断面図である。
【図２】図１に示した装置の搬送制御部の動作を示すフローチャートである。
【符号の説明】
１０：  円筒内面走査型記録装置
１２：  半円筒ドラム
１４：  ドラムの半円筒形内面
１６：  感材フィルム
２０：  供給ローラ機構
２２：  排出ローラ機構
２４：  光学系
３６：  搬送制御部
３８：  制御部の中央処理装置
４６：  フィルム搬送系
【図１】
0003586622.tif 000002
【図２】
0003586622.tif 000003